(57)【要約】【課題】罠から殺処分容器に移した処分対象である動物を、身体の形に沿わせて隙間がほぼ生じないように押圧体等で押さえることができ、必要以上に強く押さえることなく、動物の動きを止めることができる罠用殺処分容器を提供する。【解決手段】罠用殺処分容器Ａは、箱罠に着脱可能で、箱罠に通じる連通口１０を有し、処分対象動物を収容可能な容器本体１と、連通口１０を開閉可能な蓋体２と、容器本体１の内部に収容可能で、収容した状態で作業口３５２を有する底部３５の位置及び傾きを変えることができる形状に形成された押さえ蓋３と、容器本体１の内部に収容した押さえ蓋３の底部３５の位置及び傾きを適宜設定した状態で、押さえ蓋３を容器本体１に止める止め付け具３６を備える。【選択図】図１
2019037173.tif 000002
【特許請求の範囲】
【請求項１】
箱罠に着脱可能で、箱罠に通じる連通口を有し、処分対象動物を収容可能な容器本体と、
前記連通口を開閉可能な蓋体と、
前記容器本体の内部に収容可能で、収容した状態で、作業口を有する底部の位置及び傾きを変えることができる形状に形成された押さえ蓋と、
前記容器本体の内部に収容した前記押さえ蓋の底部の位置及び傾きを適宜設定した状態で、前記押さえ蓋を前記容器本体に止める止め付け手段とを備える
罠用殺処分容器。
【請求項２】
前記連通口に沿ってガイド体が設けられ、前記蓋体は前記ガイド体に沿って移動し着脱することで前記連通口を開閉可能で、前記ガイド体に複数枚重ねて収容可能である
請求項１または２記載の罠用殺処分容器。
【請求項３】
前記蓋体が、少なくとも、実質的な蓋部分に孔のない平板状のもの、前記処分対象動物の通り抜けができない大きさの所要数の作業孔を有する平板状のもの、前記処分対象動物の通り抜けができる大きさの孔を有する平板状のもの、の各タイプで構成されている
請求項１記載の罠用殺処分容器。
【請求項４】
前記止め付け手段が、前記容器本体及び押さえ蓋の一方に設けられた、多段に形成された掛止部を有する止め付け具と、他方に設けられた、前記掛止部が掛止する掛止受部からなる
請求項１、２または３記載の罠用殺処分容器。
【請求項５】
前記押さえ蓋の底部の押さえ面に、所要数の尖った突出部を有する
請求項１、２、３または４記載の罠用殺処分容器。
【請求項６】
容器本体に収容した押さえ蓋の底部を、容器本体の内部にいる処分対象動物の身体に沿わせるように、その位置及び傾きを合わせて押さえ、前記容器本体の底部と前記押さえ蓋の底部で挟むことにより、処分対象動物の動きを止める、殺処分容器の内部における処分対象動物の固定方法。
【発明の詳細な説明】
【技術分野】
【０００１】
本発明は、罠用殺処分容器及び殺処分容器の内部における処分対象動物の固定方法に関するものである。詳しくは、箱罠から移した処分対象である動物を、身体の形に沿わせて足部にも隙間がほぼ生じないようにして押さえることができ、必要以上に強い力で押さえ付けることなく、動物の動きを止めることができるものに関する。
【背景技術】
【０００２】
罠で捕獲した動物を処分する際に、罠より小さな箱等の容器に移して、動物の運搬や処分をしやすくした装置はすでに提案されており、例えば、本願発明者が提案した特許文献１記載の罠用殺処分装置がある。
【０００３】
この罠用殺処分装置は、箱罠の入口を封鎖するように着脱可能で、入口に通じる連通口を有する封鎖部材と、封鎖部材に着脱可能で、内部の収容空間と連通口に通じる開閉可能な通り口を有する誘導箱と、誘導箱の収容空間が小さくなるように調節して、収容空間内部の動物の動きを制限する動作制限装置とを備え、箱罠などで捕獲した動物を狭い空間に追い込み、動きを制限して、手早く確実に殺処分することができるようにしたものである。
【先行技術文献】
【特許文献】
【０００４】
【特許文献１】特開２０１６−１１６５０５号公報
【発明の概要】
【発明が解決しようとする課題】
【０００５】
上記罠用殺処分装置は、誘導箱を利用することで、動物の処分がしやすくなり、きわめて有用である。しかしながら、使用を重ねるにつれて、従来の誘導箱には次のような課題があることも分かってきた。すなわち、誘導箱の内部に収容した動物の動きを制限するには、誘導箱の適当な箇所に区画部材を差し込んで、動物が動ける空間を徐々に狭めたり、パンタグラフジャッキで進退する移動体を動物に押し付けて動物を挟み込んだりしていた。
【０００６】
しかし、例えばイタチやテン等の小動物は、罠で捕獲された後も、罠の内部や誘導箱の内部で目まぐるしく、しかも激しく動き回り、誘導箱に移した後、わずかな空間の中でも簡単には動きを止めない。つまり、動物の身体は同じ厚さで平坦なものではなく、骨格や筋肉の形が表面に現れて、大まかにいえば、胴体部分は厚く、足部は薄くなる。
【０００７】
このため、区画部材や移動体のように、単に表面が平坦なもので動物を強く押さえても、特に足部の周りに隙間が空き、小動物は胴体部を押さえられて苦しいため、そこから抜け出ようと激しくもがくので、結果的に殺処分することになるとはいえ、生き物として見るに耐えない酷い様相となってしまう。
【０００８】
本発明は、以上の点を鑑みて創案されたものであり、箱罠から移した処分対象である動物を、身体の形に沿わせて足部にも隙間がほぼ生じないようにして押さえることができ、必要以上に強い力で押さえ付けることなく、動物の動きを止めることができる罠用殺処分容器及び殺処分容器の内部における処分対象動物の固定方法を提供することを目的とする。
【課題を解決するための手段】
【０００９】
（１）上記の目的を達成するために本発明は、箱罠に着脱可能で、箱罠に通じる連通口を有し、処分対象動物を収容可能な容器本体と、前記連通口を開閉可能な蓋体と、前記容器本体の内部に収容可能で、収容した状態で、作業口を有する底部の位置及び傾きを変えることができる形状に形成された押さえ蓋と、前記容器本体の内部に収容した前記押さえ蓋の底部の位置及び傾きを適宜設定した状態で、前記押さえ蓋を前記容器本体に止める止め付け手段とを備える罠用殺処分容器である。
【００１０】
本発明に係る罠用殺処分容器の容器本体には、連通口を開閉できるように、あらかじめ必要なタイプの蓋体を取り付けておくようにする。そして、蓋体を取り付けた容器本体を、内部に処分対象動物を捕獲している箱罠の扉側に、連通口が向くように取り付ける。
【００１１】
容器本体には、処分対象動物が通ることができるタイプの蓋体を残し、あるいは全蓋体を抜き取り、箱罠の扉を開ける。そして、箱罠の壁を叩いたり、扉と反対側の覗き扉を少し開いたりすると、処分対象動物は逃げる動作をして、結果的に箱罠から連通口を通り、容器本体の内部へ移動する。
【００１２】
この状態で、封鎖するタイプの蓋体を容器本体に取り付ける。これにより、処分対象動物は、容器本体から出られなくなる。このようにして、容器本体に処分対象動物を収容したら、容器本体を箱罠から取り外し、必要であれば、殺処分が可能な場所まで運搬する。殺処分する場所では、容器本体は、連通口、すなわち閉じている状態の蓋体を上にして置く。
【００１３】
押さえ蓋を用意し、まず、蓋体をずらして連通口を少し開口して、その開口を塞ぐように底部の角部を入れ、徐々に蓋体をずらして連通口の開口部を広げ、塞いだ状態を維持しながら、押さえ蓋を容器本体の内部に落とし込むようにする。これにより、容器本体の内部にいる処分対象動物は、押さえ蓋の底部で徐々に押さえられ、動くスペースがなくなってきて、ほぼ動けなくなる。
【００１４】
処分対象動物は、押さえられると普通は横になり、胴体部の厚い部分と足部の薄い部分に分かれるので、この身体の形に沿わせるように、容器本体の内部で、押さえ蓋の底部の位置を決め、底部の傾きを合わせるようにする。そして、この状態で、止め付け手段により、押さえ蓋を前記容器本体に止める。
【００１５】
これにより、処分対象動物は、厚い胴体部から薄い足部まで、容器本体の底部と押さえ蓋の底部が沿うように挟むことになり、従来とは相違して足部の周りにもスペースがほとんどないので、足を動かすことが難しい。したがって、処分対象動物を、従来のように強く押さえることなく、ほとんど動くことができない状態にすることができる。
【００１６】
その後は、電気式殺処分装置等を使用し、処分対象動物の殺処分を行うようにする。この際、動物はほとんど動くことができず、もがいたり暴れたりすることもないので、従来のような酷い様相とはなりにくく、スムーズな作業が可能である。
【００１７】
なお、本発明にいう連通口を開閉可能な蓋体とは、全封鎖する形態の蓋体のみをいうのではなく、各種大きさの孔が開いている形態の蓋体も含む意味である。
【００１８】
（２）本発明は、前記連通口に沿ってガイド体が設けられ、前記蓋体は前記ガイド体に沿って移動し着脱することで前記連通口を開閉可能で、前記ガイド体に複数枚重ねて収容可能な構成とすることもできる。
【００１９】
この場合は、機能性が異なる蓋体を複数用意して、それらを重ねてガイド体に取り付けておくことにより、差し込みより操作が容易な抜き取りによって、蓋体の必要な機能の選択が可能になる。また、ガイド体は、蓋体が複数ある場合の収容部として利用できるので、容器本体の合理的な活用が可能になる。
【００２０】
（３）本発明は、前記蓋体が、少なくとも、実質的な蓋部分に孔のない平板状のもの（封鎖タイプ）、前記処分対象動物の通り抜けができない大きさの所要数の作業孔を有する平板状のもの（作業孔タイプ）、前記処分対象動物の通り抜けができる大きさの孔を有する平板状のもの（通り孔タイプ）、の各タイプを有する構成とすることもできる。
【００２１】
この場合は、封鎖タイプの蓋体を使用すれば、容器本体の内部に処分対象動物が入った後で取り付けることにより、容器本体は実質的に密閉容器となり、処分対象動物は逃げ出すことができない。これにより、容器本体は、処分対象動物を運ぶ運搬容器としての機能性を備えることができる。
【００２２】
作業孔タイプの蓋体を使用すれば、作業孔が処分対象動物の通り抜けができない大きさであるので、封鎖タイプの蓋体と同様に、処分対象動物は逃げ出すことができない状態で、作業孔から殺処分用の各種道具を差し込んで作業をすることができる。また、作業孔を通して、容器本体の内部を覗くことができるので、処分対象動物の様子を確認することもできる。
【００２３】
通り孔タイプの蓋体を使用すれば、より小型の罠から処分対象動物を移動させる場合、蓋体の孔の大きさや形状を、罠の排出口（扉がある部分）に合わせたものを設定することによって、処分対象動物の移動が可能になる。
【００２４】
（４）本発明は、前記止め付け手段が、前記容器本体及び押さえ蓋の一方に設けられた、多段に形成された掛止部を有する止め付け具と、他方に設けられた、前記掛止部が掛止する掛止受部からなる構成とすることもできる。
【００２５】
この場合は、容器本体の内部に押さえ蓋を収容し、内部にいる処分対象動物の身体に沿わせるように底部の位置を決め、底部の傾きを合わせた後、多段に設けられた掛止部のうち、互いに高さの異なる掛止部を無理なく掛止受部に掛止して、押さえ蓋を容器本体に止めることができる。
【００２６】
（５）本発明は、前記押さえ蓋の底部の押さえ面に、所要数の尖った突出部を有する構成とすることもできる。
【００２７】
この場合は、この突出部を有する底部の押さえ面で処分対象動物を押さえることにより、軽く押さえても、処分対象動物は尖った突出部による痛みを感じて容易には動くことができなくなり、より一層効果的である。なお、突出部の形状は、特に限定するものではなく、例えば板状で山形のものの他、円錐形等の錐形のものであるが、処分対象動物を押さえただけで傷付けてしまうものは、好ましくない。
【００２８】
（６）上記の目的を達成するために本発明は、容器本体に収容した押さえ蓋の底部を、容器本体の内部にいる処分対象動物の身体に沿わせるように、その位置及び傾きを合わせて押さえ、前記容器本体の底部と前記押さえ蓋の底部で挟むことにより、処分対象動物の動きを止める、殺処分容器の内部における処分対象動物の固定方法である。
【００２９】
本発明に係る殺処分容器の内部における処分対象動物の固定方法によれば、処分対象動物は、厚い胴体部から薄い足部まで、容器本体の底部と押さえ蓋の底部が沿うように挟むことになり、従来とは相違して足部の周りにもスペースがほとんどないので、足を動かすことが難しい。したがって、処分対象動物を、従来のように強く押さえることなく、ほとんど動くことができない状態にすることができる。
【００３０】
その後は、電気式殺処分装置等を使用し、処分対象動物の殺処分を行うようにする。この際、動物はほとんど動くことができず、もがいたり暴れたりすることもないので、従来のような酷い様相とはなりにくく、スムーズな作業が可能である。
【発明の効果】
【００３１】
本発明は、箱罠から移した処分対象である動物を、身体の形に沿わせて足部にも隙間がほぼ生じないようにして押さえることができ、必要以上に強い力で押さえ付けることなく、動物の動きを止めることができる罠用殺処分容器を提供することができる。
【図面の簡単な説明】
【００３２】
【図１】本発明に係る罠用殺処分容器の一実施の形態を示す分解斜視図である。
【図２】罠用殺処分容器を構成する容器本体と各蓋体の構造を示す分解斜視図である。
【図３】罠用殺処分容器を構成する押さえ蓋の構造を示し、止め付け具が開いている状態の斜視図である。
【図４】罠用殺処分容器の使用方法を示し、小動物の捕獲後に罠に取り付けようとしている状態を示す分解斜視説明図である。
【図５】罠用殺処分容器の使用状態を示し、罠用殺処分容器を罠に取り付け、罠で捕獲した小動物を罠用殺処分容器に移動させた状態を示す斜視説明図である。
【図６】罠用殺処分容器に移した小動物を押さえ蓋で押さえて動けないようにした状態を示す断面図である。
【図７】罠用殺処分容器に固定した小動物を通電式殺処分装置で処分している状態を示す説明図である。
【発明を実施するための形態】
【００３３】
図１ないし図７を参照して、本発明の実施の形態を更に詳細に説明する。
罠用殺処分容器Ａは、容器本体１と、三種類の蓋体２、２ａ、２ｂ（図２参照）と、容器本体１に収容して使用される押さえ蓋３を備えている。容器本体１と、蓋体２、２ａ、２ｂ、及び押さえ蓋３は、何れもアルミニウム製であるが、スチール等、他の金属材料を使用することもできる。
【００３４】
（容器本体１）
容器本体１は、外形がほぼ直方体の箱状に形成されている。容器本体１は、五面が四角形の板体で形成され、底板１１の周りに側板１２、１３、１４、１５を設けた構造である。残りの一面には、全開口されて四角形の連通口１０が形成されている。
【００３５】
連通口１０の両側の対向位置にある側板１３、１５の連通口１０近傍には、ロック片１３１、１５１が設けられている。ロック片１３１、１５１は、軸ピン（符号省略）を中心として回転可能で、掛止凹部（符号省略）を後述する箱罠４の箱体４０の両側板に設けてあるピン４２に掛けて動かないようにロックすることができる。
【００３６】
また、側板１３、１５の連通口１０側の端縁部には、全長にわたり、断面コ字状のガイド体１３０、１５０が設けられている。ガイド体１３０、１５０の空隙を形成している部材の間隔は、後述する三枚の蓋体２、２ａ、２ｂを重ねて収容できるように設定されている。なお、ガイド体１３０、１５０は、後述する押さえ蓋３の止め付け具３６の掛止部３６３が掛止する掛止受部としての機能も併せ持つものである。
【００３７】
更に、ガイド体１３０、１５０に収容された蓋体２、２ａ、２ｂは、三枚に重ねて収容した状態から、任意の蓋体を抜き差し可能である。通常は、必要な蓋体をその都度取り付けるが、あらかじめ複数を取り付けておき、適宜抜き取ることにより、残した蓋体によって必要な機能性を持たせるようにすることもできる。また、必要であれば、蓋体を四枚以上収容できるようにしてもよい。
【００３８】
側板１２には、把手１２０が固定されている。また、側板１２の連通口１０の近傍、かつやや側板１３寄りには、蓋体が抜けないように固定するための、ロック器具１２１が設けられている。ロック器具１２１は、ピン（符号省略）がバネの付勢力で突出して、後述するロック孔２１、２１ａ、２１ｂに挿入してロック状態とし、戻した位置で止めてロック解除をするものである。
【００３９】
（蓋体２、２ａ、２ｂ）
三種類の蓋体２、２ａ、２ｂは、何れも外形が四角形状で同じ大きさの板体である。蓋体２は、一端縁部（図２で上端縁部）の中央に把手孔２０を有し、その両側のやや離れた位置にロック孔２１が形成されており、他は全体が塞がっている、蓋体２は、ガイド体１３０、１５０に収容することにより、連通口１０を丁度塞ぐことができる形状の、いわゆる封鎖板である。
【００４０】
蓋体２ａには、蓋体２と同様の把手孔２０ａと、ロック孔２１ａが設けられている。また、蓋体２ａには、図２で縦長の長円状の孔２２ａが、上段に四箇所、下段に四箇所形成されている。この孔２２ａは、容器本体１の内部を覗く覗き穴としての機能と、電気式殺処分装置の、先端に電極針を有する操作棒を差し入れる作業孔としての機能も合わせ持つものである。
【００４１】
蓋体２ｂには、蓋体２と同様の把手孔２０ｂと、ロック孔２１ｂが設けられている。蓋体２ｂには、ほぼ中央に四角形の通り孔２２ｂが設けられている。通り孔２２ｂは、処分対象動物であるイタチ、テン等の小動物が容易に通り抜けることができる大きさに形成されている。なお、通り孔２２ｂの大きさは、小動物が罠側から追われたときは、驚いて容器本体１に簡単に入るが、やや狭い孔であることで、戻る方向へは容易には移動できないようにした大きさである。
【００４２】
（押さえ蓋３）
押さえ蓋３は、合計四枚の二組の側板３０、３１、及び側板３２、３３を有している。各組の側板３０、３１、及び側板３２、３３は、同じ組では互いにほぼ同じ形状を有している。すなわち、側板３０、３１は、互いに平行になるように対向位置に設けてあり、外形が四角形状である。ほぼ中央には、外形が凸形状の軽量化用の穴３９が設けられている。
【００４３】
側板３０、３１と隣り合う側板３２、３３は、側板３０、３１より低く形成され、外形がほぼ凹形状で、軽量化のため中央を大きく切り欠いた抜き部３８を有する形状である。側板３０、３１、及び側板３２、３３の幅は同じに形成されているので、図３における平面視での側板の外形は、ほぼ正方形状である。なお、側板３０、３１の図３における上端部には、幅方向中央に四角筒状のバーである把手３７が架け渡して固定されている。
【００４４】
側板３０、３１の図３における左右上部の内面には、止め付け具３６が設けられている。止め付け具３６は、相対向するもの同士が、図３において左右対称形状である。止め付け具３６は、蝶番３６０を有し、そのベース片３６１は側板３０、３１に固定されている。なお、止め付け具３６は、ガイド体１３０、１５０と共に、止め付け手段を構成する。
【００４５】
蝶番３６０の可動片３６２には、外側へ突出した掛止部３６３が図３で上下方向に多段に設けられている。掛止部３６３の数は、本実施の形態では六箇所であるが、これに限定するものではなく、適宜設定されるものである。各止め付け具３６は、上記容器本体１のガイド体１３０、１５０に掛止することができる。
【００４６】
蝶番３６０のベース片３６１と可動片３６２は、バネにより開く方向に付勢されている。また、ベース片３６１には磁石３６４が固定されており、磁性体（本実施の形態ではスチール）である可動片３６２が内側に回動した状態で磁着することができるようにしている。なお、可動片３６２が開いたときには、掛止部３６３の先部は、側板３０、３１の両縁辺部からそれぞれ突出するようにしてある。
【００４７】
なお、本実施の形態では、止め付け具３６は、いわゆる観音開き様の構造を有するが、これとは異なり、可動片の内外方向へのスライドによって、掛止部の掛止可能位置と、掛止解除位置の切り替えを行う構造とすることもできる。この場合、可動片が使用によって多少変形した状態でもスライドできるように、ガイドとの隙間をやや緩くした構造とするのが好ましい。
【００４８】
側板３０、３１、３２、３３の、図３において下部には、枠板３５０を格子状に組んで形成された底部３５が設けられている。各枠板３５０の押さえ面である底縁部には、いわゆる鋸歯状に形成され、多数の山形状の突出部３５１が形成されている。この突出部３５１を有する各枠板３５０で小動物を押さえることにより、必要以上に強い力で押さえ付けることなく、小動物は尖った突出部３５１による痛みを感じて容易には動くことができなくなる。
【００４９】
また、底部３５は、枠板３５０を格子状に組んで形成されているので、これにより多数の平面視四角形状の作業口３５２が形成されている。これら作業口３５２は、一般的な大きさのイタチやテン等の小動物が通り抜けることができない大きさに形成されているのは言うまでもない。
【００５０】
なお、押さえ蓋３の大きさは、図１における平面視での四角形の外形の大きさが、容器本体１よりやや小さく、容器本体１の内部（蓋体２等は外した状態）に収容可能で、内部において、底部３５の位置及び傾きを、ある程度変える（調整する）ことができる形状に形成されている。また、押さえ蓋３は、容器本体１の内部に収容して底部３５の位置及び傾きを適宜設定した状態で、四箇所の止め付け具３６によって、ガイド体１３０、１５０に止めることができる大きさに設定されている。
【００５１】
（作用）
図１乃至図７を参照して、罠用殺処分容器Ａの使用方法（本発明に係る動物の固定方法を含む）及び作用を説明する。
罠用殺処分容器Ａの容器本体１には、連通口１０を開閉できるように、あらかじめ封鎖タイプの蓋体２をガイド体１３０、１５０に取り付けて準備しておく（図４参照）。なお、この時点では、蓋２は取り付けないでもよい。
【００５２】
蓋体２は、ロック器具１２１のピンをロック孔２１に差し入れて抜けないように固定する。そして、蓋体２を取り付けた容器本体１を、内部に小動物５を捕獲している箱罠４の扉４４側に、連通口１０が向くようにし、ロック片１３１、１５１を両側板のピン４２にロックして取り付ける（図５参照）。
【００５３】
そして、容器本体１の蓋体２をガイド体１３０、１５０から抜き取る。次に、箱罠４の扉４４をガイド４３に沿って上昇させて開ける。この状態で、箱罠４の壁を叩いたり、扉４４と反対側の覗き扉４１を少し開いたりすると、小動物５は逃げる動作をして、結果的に箱罠４から容器本体１の連通口１０を通って、容器本体１の内部へ移動する（図５の状態）。
【００５４】
小動物５が移動したら、蓋体２を容器本体１のガイド体１３０、１５０に取り付ける。容器本体１の内部に移動した小動物５が、例えばタヌキ、アナグマ等の比較的大型のもので、スペースの余裕もなく、容器本体の内部での動きが鈍いと判断される場合は、作業孔タイプである蓋体２ａを取り付けることもできる。
【００５５】
この場合は、容器本体１を箱罠４から分離した状態で、特に押さえ蓋３を使用することなく、作業孔２２ａから電気式殺処分装置の操作棒（図示省略）を差し入れて、殺処分作業をすることができると共に、作業孔２２ａを通して、容器本体１の内部を覗くことができるので、小動物５の様子を確認することもできる。
【００５６】
容器本体１に蓋体２を取り付ければ、小動物５は容器本体１から出られなくなる。蓋体２を取り付けた容器本体１に小動物５を収容したら、ロック片１３１、１５１を外して容器本体１を箱罠から取り外し、必要であれば、殺処分が可能な場所まで運搬する。殺処分する場所では、容器本体１は、連通口１０、すなわち閉じている状態の蓋体２を上にして置く。
【００５７】
次に、押さえ蓋３を用意する。押さえ蓋３の各止め付け具３６の可動片３６２は、磁石３６４に磁着させて閉じておく（図１参照）。容器本体１の内部への押さえ蓋３の収容は次のように行う。
【００５８】
まず、蓋体２をずらして連通口１０を少し開口して、その開口部を塞ぐように、押さえ蓋３の底部３５の角部を入れ、徐々に蓋体２をずらして連通口１０の開口部を広げ、塞いだ状態を維持しながら、押さえ蓋３を容器本体１の内部に落とし込むようにする。これにより、容器本体１の内部にいる小動物５は、押さえ蓋３の底部３５で徐々に押さえられ、動くスペースがなくなってきて、ほぼ動けなくなる。
【００５９】
小動物５は、押さえられると普通は横になり、胴体部５０の厚い部分と足部５１の薄い部分に分かれるので、この身体の形に沿わせるように、容器本体１の内部で、押さえ蓋３の底部３５の位置を決め、底部３５の傾きを合わせるようにする。そして、この状態で、止め付け具３６の可動片３６２の磁着を外して開き（図４参照）、多段に設けられた掛止部３６３のうち、互いに高さの異なる掛止部３６３を掛止受部であるガイド部１３０、１５０に掛止して、押さえ蓋３を容器本体１に止める（実質的に固定する）ことができる（図６参照）。
【００６０】
これにより、小動物５は、厚い胴体部５０から薄い足部５１まで、容器本体１の底板１１と押さえ蓋３の底部３５が沿うように挟むことになり、従来とは相違して足部５１の周りにもスペースがほとんどないので、足を動かすことが難しい。更には、小動物５は、底部３５の押さえ面に形成されている尖った突出部３５１で押さえられるので、軽く押さえても、小動物５は突出部３５１による痛みを感じて容易には動くことができなくなり、より一層効果的である。したがって、小動物５を、従来のように強く押さえることなく、ほとんど動くことができない状態にすることができる。
【００６１】
その後は、電気式殺処分装置を使用し、先端に電極針を有する操作棒６、６ａを作業口３５２から入れて、小動物５の殺処分を行うようにする。この際、動物はほとんど動くことができず、もがいたり暴れたりすることもないので、従来のような酷い様相とはなりにくく、スムーズな作業が可能である（図７参照）。
【００６２】
なお、蓋体２ｂの使用は、図４、図５に示す箱罠４より小型で、排出口がより小さい場合に、通り孔２２ｂの形状を、罠の排出口の形状に合わせて設定しておくことにより、より小型の罠から小動物５を移動させることが可能になる。
【００６３】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００６４】
Ａ  罠用殺処分容器
１  容器本体
１０  連通口
１１  底板
１２、１３、１４、１５  側板
１２０  把手
１２１  ロック器具
１３０、１５０  ガイド体
１３１、１５１  ロック片
２  蓋体
２０  把手孔
２１  ロック孔
２ａ  蓋体
２０ａ  把手孔
２１ａ  ロック孔
２２ａ  作業孔
２ｂ  蓋体
２０ｂ  把手孔
２１ｂ  ロック孔
２２ｂ  通り孔
３  押さえ蓋
３０、３１  側板
３２、３３  側板
３９  穴
３８  抜き部
３７  把手
３６  止め付け具
３６０  蝶番
３６１  ベース片
３６２  可動片
３６３  掛止部
３６４  磁石
３５  底部
３５０  枠板
３５１  突出部
３５２  作業口
４  箱罠
４０  箱体
４１  覗き扉
４２  ピン
４３  ガイド
４４  扉
【図１】
2019037173.tif 000003
【図２】
2019037173.tif 000004
【図３】
2019037173.tif 000005
【図４】
2019037173.tif 000006
【図５】
2019037173.tif 000007
【図６】
2019037173.tif 000008
【図７】
2019037173.tif 000009